(57)【要約】      （修正有）【課題】装飾体を立体的に際立たせた状態で飾ることができ、しかも、簡易構造故にコスト安にして量産性に秀でるなど、従来にない作用効果を発揮する実用的な飾り体を提供する。【解決手段】基板１の周囲に周壁４が設けられた箱体１０の基板１に、互いに長さの異なる複数の支持部材２が突設され、この支持部材２夫々の先端部には装飾体３が設けられ、この装飾体３の基板１からの位置は同一位置ではないように構成されており、更に、全ての装飾体３は周壁４よりも没入位置に設けられたものである。【選択図】図１
0003199831.tif 000002
【実用新案登録請求の範囲】
【請求項１】
基板の周囲に周壁が設けられた箱体の該基板に、互いに長さの異なる複数の支持部材が突設され、この支持部材夫々の先端部には装飾体が設けられ、この装飾体の前記基板からの位置は同一位置ではないように構成されており、更に、全ての前記装飾体は前記周壁よりも没入位置に設けられていることを特徴とする飾り体。
【請求項２】
請求項１記載の飾り体において、前記各支持部材は光透過性を有する棒材で構成されていることを特徴とする飾り体。
【請求項３】
請求項１，２いずれか１項に記載の飾り体において、前記装飾体は、鳥や飛行機などの空中を移動する飛行体若しくは魚やクラゲなどの水中を移動する遊泳体を模したものであることを特徴とする飾り体。
【請求項４】
請求項１〜３いずれか１項に記載の飾り体において、前記支持部材の長さが全て異なることを特徴とする飾り体。
【請求項５】
請求項１〜３いずれか１項に記載の飾り体において、前記装飾体は、形や大きさの異なる複数のグループに区分けされており、一のグループの前記支持部材と他のグループの前記支持部材とは長さが異なるものであることを特徴とする飾り体。
【考案の詳細な説明】
【技術分野】
【０００１】
本考案は、飾り体に関するものである。
【背景技術】
【０００２】
従来から、壁に掛けたりテーブルやサイドボードの上に置いたりする飾り体として、例えば実用新案登録第３０３９０８０号に開示されるような飾り体（以下、従来例）が提案されている。
【０００３】
この従来例は、装飾体を額縁に収納したものであり、飾りたい装飾体をそのままの状態で飾るのではなく、額縁に収納することで装飾体を際立たせた状態で飾ることができる。
【先行技術文献】
【特許文献】
【０００４】
【特許文献１】実用新案登録第３０３９０８０号公報
【考案の概要】
【考案が解決しようとする課題】
【０００５】
本考案者は、前述した飾り体について鋭意検討を重ねた結果、従来にない作用効果を発揮する実用的な飾り体を考案した。
【課題を解決するための手段】
【０００６】
添付図面を参照して本考案の要旨を説明する。
【０００７】
基板１の周囲に周壁４が設けられた箱体10の該基板１に、互いに長さの異なる複数の支持部材２が突設され、この支持部材２夫々の先端部には装飾体３が設けられ、この装飾体３の前記基板１からの位置は同一位置ではないように構成されており、更に、全ての前記装飾体３は前記周壁４よりも没入位置に設けられていることを特徴とする飾り体に係るものである。
【０００８】
また、請求項１記載の飾り体において、前記各支持部材２は光透過性を有する棒材で構成されていることを特徴とする飾り体に係るものである。
【０００９】
また、請求項１，２いずれか１項に記載の飾り体において、前記装飾体３は、鳥や飛行機などの空中を移動する飛行体若しくは魚やクラゲなどの水中を移動する遊泳体を模したものであることを特徴とする飾り体に係るものである。
【００１０】
また、請求項１〜３いずれか１項に記載の飾り体において、前記支持部材２の長さが全て異なることを特徴とする飾り体に係るものである。
【００１１】
また、請求項１〜３いずれか１項に記載の飾り体において、前記装飾体３は、形や大きさの異なる複数のグループに区分けされており、一のグループの前記支持部材２と他のグループの前記支持部材２とは長さが異なるものであることを特徴とする飾り体に係るものである。
【考案の効果】
【００１２】
本考案は上述のように構成したから、装飾体を立体的に際立たせた状態で飾ることができ、しかも、簡易構造故にコスト安にして量産性に秀れるなど、従来にない作用効果を発揮する実用的な飾り体となる。
【図面の簡単な説明】
【００１３】
【図１】本実施例を示す斜視図である。
【図２】本実施例を示す正面図である。
【図３】本実施例の要部の説明断面図である。
【考案を実施するための形態】
【００１４】
好適と考える本考案の実施形態を、図面に基づいて本考案の作用を示して簡単に説明する。
【００１５】
装飾体３の基板１からの位置は同一位置ではないように構成されており、よって、装飾体３は奥行き方向に対して前後に位置するから、立体的に看取されることになる。しかも、全ての装飾体３は周壁４よりも没入位置に設けられているから、例えば斜め上方から支持部材２が見えにくく、あたかも背景となる基板１から装飾体３が浮いているように見え、この点においても装飾体３は立体的に看取されることになる。
【００１６】
また、周壁４の開口縁から突出するものが無い為、周壁４の開口部をガラス板などで閉塞することができる。
【実施例】
【００１７】
本考案の具体的な実施例について図面に基づいて説明する。
【００１８】
本実施例は、基板１の周囲に周壁４が設けられた箱体10の該基板１に、互いに長さの異なる複数の支持部材２が突設され、この支持部材２夫々の先端部には装飾体３が設けられ、この装飾体３の基板１からの位置は同一位置ではないように構成されており、更に、全ての装飾体３は周壁４よりも没入位置に設けられた飾り体である。
【００１９】
以下、本実施例に係る構成各部について詳細な説明をする。
【００２０】
基板１は、図１〜３に図示したように適宜な木製部材で形成した方形板状体であり、所定位置には後述する５本の支持部材２を配設するための複数（５個）の貫通孔１ａが設けられている。尚、基板１は合成樹脂製、金属製、陶製など適宜採用し得るものである。
【００２１】
支持部材２は、図１〜３に図示したように適宜な光透過性を有する合成樹脂製の部材（ストロー）で形成された長尺体であり、この支持部材２はそれぞれ異なる長さに設定されている。
【００２２】
また、この支持部材２夫々の先端部には装飾体３が設けられている。
【００２３】
各装飾体３は、図１〜３に図示したように紙製の部材で形成したものであり、支持部材２夫々の先端部に付設されている。
【００２４】
また、各装飾体３は、形や大きさの異なる複数のグループに区分けされている。
【００２５】
具体的には、本実施例は、図２に図示したように大きさの異なる装飾体３がＡグループ、Ｂグループ、Ｃグループの３つに区分けされ、Ａグループは僅かに大きさの異なる２つの装飾体３（Ａ１及びＡ２）、Ｂグループは僅かに大きさの異なる２つの装飾体３（Ｂ１１及びＢ２）、Ｃグループは１つの装飾体３の場合であり、前述したように全ての支持部材２の長さが異ならせてある。
【００２６】
尚、同一グループ内では支持部材２を同じ長さとし、他のグループ同士間で長さを異ならせるようにしても良い。
【００２７】
尚、本明細書で言う同じ長さとは略同じ長さも含むものである。
【００２８】
また、本実施例では、装飾体３として鳥（朱鷺）形状に形成した装飾体３を採用したが、これに限られるものではなく、鳥や飛行機などの空中を移動する飛行体若しくは魚やクラゲや潜水艦などの水中を移動する遊泳体を模したものなど、本実施例の特性を発揮するものであれば適宜採用し得るものである。
【００２９】
また、支持部材２は、貫通孔１ａに挿入した状態で基端部を止着テープ５及び接着剤６で基板１に止めて固定されている。
【００３０】
基板１の周囲には周壁４が立設されている。
【００３１】
この周壁４は、適宜な木製部材で形成したものであり、基板１の四辺夫々に立設状態となり箱状に構成されている。尚、基板１は合成樹脂製、金属製、陶製など適宜採用し得るものである。
【００３２】
本実施例では、この枠状の周壁４の裏面部に基板１を配設して止め具７を介して固定している。
【００３３】
また、この全ての装飾体３は周壁４よりも没入した位置に設けられている。これにより例えば斜め上方から支持部材２が見えにくく、あたかも背景となる基板１から装飾体３が浮いているように見え、この点においても装飾体３は立体的に看取されることになる。
【００３４】
尚、この周壁４の高さや装飾体３（支持部材２）の密集度合いは、支持部材２が見えにくく且つ程良く散在した位置となるようバランスが考慮されて適宜設定される。
【００３５】
また、周壁４の正面側にはガラス製の保護板８が架設されている。
【００３６】
本実施例は上述のように構成したから、装飾体３の基板１からの位置は同一位置ではないように構成されており、よって、装飾体３は奥行き方向に対して前後に位置するから、立体的に看取されることになる。しかも、全ての装飾体３は周壁４よりも没入位置に設けられているから、例えば斜め上方から支持部材２が見えにくく、あたかも背景となる基板１から装飾体３が浮いているように見え、この点においても装飾体３は立体的に看取されることになる。
【００３７】
また、周壁４の開口縁から突出するものが無い為、周壁４の開口部をガラス板などで閉塞することができる。
【００３８】
また、装飾体３は周囲が周壁４で覆われているため、装飾体３を際立たせることができる。
【００３９】
よって、本実施例によれば、装飾体３を立体的に際立たせた状態で飾ることができ、しかも、簡易構造故にコスト安にして量産性に秀れることになる。
【００４０】
また、本実施例は、支持部材２は光透過性を有する棒材で構成されているから、支持部材２が見えにくくより一層装飾体３が立体的に看取されることになる。
【００４１】
また、本実施例は、装飾体３は、鳥や飛行機などの空中を移動する飛行体若しくは魚やクラゲなどの水中を移動する遊泳体を模したものであるから、本実施例に係る構造を利用して飾る装飾体３として最適なものとなる。
【００４２】
また、本実施例は、支持部材２の長さが全て異なるから、より一層装飾体３が立体的に看取されることになる。
【００４３】
また、本実施例は、装飾体３は、形や大きさの異なる複数のグループに区分けされており、一のグループの支持部材２と他のグループの支持部材２とは長さが異なるものであるから、より一層装飾体３が立体的に看取されることになる。
【００４４】
尚、本考案は、本実施例に限られるものではなく、各構成要件の具体的構成は適宜設計し得るものである。
【符号の説明】
【００４５】
１  基板
２  支持部材
３  装飾体
４  周壁
10  箱体
【図１】
0003199831.tif 000003
【図２】
0003199831.tif 000004
【図３】
0003199831.tif 000005